(57)【特許請求の範囲】
【請求項１】
便器本体に着脱可能なケース本体と、このケース本体に搭載されて人体局部の洗浄または乾燥等の衛生洗浄処理を行なう衛生洗浄機能部を備えた衛生洗浄装置において、
操作指令を出力する操作手段と、
この操作手段から出力される操作指令に基づいて、上記衛生洗浄機能部に対して上記衛生洗浄処理を指令する衛生洗浄指令手段と、
上記衛生洗浄装置と便器本体との着脱状態を検出する着脱状態検出手段と、
この着脱状態検出手段により衛生洗浄装置が脱状態であると検出されたときに、衛生洗浄機能部の上記衛生洗浄処理を禁止する禁止手段と、
を備えたことを特徴とする衛生洗浄装置。
【請求項２】
請求項１の衛生洗浄装置において、上記着脱状態検出手段は、便器本体と衛生洗浄装置とを外した脱状態及び取り付けた着状態と、便器本体と衛生洗浄装置との着脱作業中である過渡状態を含むように構成した衛生洗浄装置。
【請求項３】
請求項１の衛生洗浄装置において、上記着脱状態検出手段は、衛生洗浄装置を便器本体に対して着脱したときに着脱信号を出力する着脱信号出力部と、着脱信号出力部より着脱信号が出力された後であって所定時間経過後に再度、同じ種類の着脱信号が出力されている場合に、着状態または脱状態と判定する着脱判定部を備えた衛生洗浄装置。
【請求項４】
請求項１の衛生洗浄装置において、上記衛生洗浄機能部は、待機状態から洗浄状態へ移行することで人体局部の洗浄または乾燥等をする待機移行付機能部を備え、
上記禁止手段は、着脱状態検出手段により脱状態であると検出されたときに、衛生洗浄処理の指令を禁止する前に、待機移行付機能部を待機状態に移行するよう指令する待機状態指令手段を備えた衛生洗浄装置。
【請求項５】
請求項４の衛生洗浄装置において、上記待機移行付機能部は、待機状態と洗浄状態との間を往復移動する洗浄用ノズルである衛生洗浄装置。
【請求項６】
請求項４の衛生洗浄装置において、上記待機移行付機能部は、ヒータと、ヒータにより加熱された温風を送り出すファンとを有する暖房手段と、着脱状態検出手段により脱状態であると検出されたときに、上記ヒータへの通電を遮断すると共に、脱状態の検出時からファンを遅延して停止する遅延手段と、を備えた衛生洗浄装置。
【請求項７】
請求項４の衛生洗浄装置において、上記禁止手段は、上記操作手段の出力のうち、待機移行付機能部の洗浄状態から待機状態への移行を許可し、他の衛生洗浄処理を禁止するように構成した衛生洗浄装置。
【請求項８】
請求項１の衛生洗浄装置において、
上記衛生洗浄機能部は、
吐出通路を通じて供給された加熱洗浄水を噴出する洗浄用ノズルと、
上記吐出通路に設けられ、吐出通路を通る洗浄水の温度を検出する温度検出手段と、温度検出手段からの検出信号に基づいて所定温度以上の洗浄水を検出したときに洗浄水の吐水を禁止する高温止水機能を有する高温止水部と、を備えており、
上記禁止手段は、
着脱状態検出手段により脱状態が検出されたときに、上記高温止水部の高温止水機能をロックする高温止水ロック手段と、
を備えている衛生洗浄装置。
【請求項９】
請求項１の衛生洗浄装置において、
上記衛生洗浄機能部は、
加熱した洗浄水を貯留する洗浄水タンクと、
洗浄水タンクに接続された吐出通路と、
吐出通路を介して洗浄水タンクの洗浄水を噴出する洗浄用ノズルと、
上記吐出通路に連通しかつ吐出通路を大気に開放する大気導入通路と、
大気導入通路を大気に開放する開弁位置と、洗浄水タンクから洗浄水の流出時に大気導入通路を閉じる閉弁位置との弁動作により、洗浄用ノズルから洗浄水タンクへの逆流を防止するバキュームブレーカと、
を備え、
上記禁止手段は、上記大気導入通路を開閉する開閉弁と、着脱状態検出手段により脱状態であると検出されたときに、開閉弁を強制的に閉弁する開閉弁制御手段と、
を備えたことを特徴とする衛生洗浄装置。
【請求項１０】
請求項１の衛生洗浄装置において、着脱状態検出手段により着状態が検出された場合に、衛生洗浄処理の禁止指令を解除する解除手段を備えた衛生洗浄装置。
【請求項１１】
請求項10の衛生洗浄装置において、上記衛生洗浄機能部は、洗浄用ノズルへの流量を調節する流量調節弁を備え、
上記解除手段は、衛生洗浄処理の禁止指令を解除すると共に、流量調節弁を所望の流量を吐出する状態に設定して次回の衛生洗浄処理を準備する手段である衛生洗浄装置。
【請求項１２】
請求項10の衛生洗浄装置において、上記解除手段は、衛生洗浄機能部の禁止指令を２段階で解除する衛生洗浄装置。
【請求項１３】
請求項12の衛生洗浄装置において、上記衛生洗浄機能部は、洗浄水を加熱する温水調節機能部であり、上記解除手段は、１段階目で洗浄水の加熱の禁止指令を解除する手段である衛生洗浄装置。
【請求項１４】
便器本体に着脱可能なケース本体と、このケース本体に搭載されて、待機状態から洗浄状態へ移行することで人体局部の洗浄または乾燥等の衛生洗浄処理を行なう衛生洗浄機能部と、を備えた衛生洗浄装置において、
操作指令を出力する操作手段と、
この操作手段から出力される操作指令に基づいて、上記衛生洗浄機能部に対して上記衛生洗浄処理を指令する衛生洗浄指令手段と、
上記衛生洗浄装置を便器本体から外す作業中である脱過渡状態または脱状態を検出する着脱状態検出手段と、
上記着脱状態検出手段により脱過渡状態または脱状態が検出された場合に、上記衛生洗浄機能部を上記待機状態に移行させる指令を上記衛生洗浄指令手段に出力する待機状態指令手段と、
を備えたことを特徴とする衛生洗浄装置。
【請求項１５】
便器本体に着脱可能なケース本体と、このケース本体に搭載されて人体局部の洗浄または乾燥等の衛生洗浄処理を行なう衛生洗浄機能部を備えた衛生洗浄装置において、
衛生洗浄装置と便器本体との着脱状態を検出する着脱状態検出手段と、
衛生洗浄機能部の洗浄水の温度、乾燥温度等の衛生洗浄データを設定するデータ設定手段と、
非通電時であってもデータを記憶する不揮発性記憶部と、着脱状態検出手段により脱状態と検出されたときにデータ設定手段に設定されている衛生洗浄データを不揮発性記憶部に記憶させる記憶指令部と、を有する衛生洗浄データ記憶手段と、
を備えたことを特徴とする衛生洗浄装置。
【請求項１６】
便器本体に着脱可能なケース本体と、このケース本体に搭載されて人体局部の洗浄または乾燥等の衛生洗浄処理を行なう衛生洗浄機能部を備えた衛生洗浄装置において、
衛生洗浄装置と便器本体との着脱状態を検出する着脱状態検出手段と、
衛生洗浄機能部の洗浄水の温度、乾燥温度等の衛生洗浄データを設定するデータ設定手段と、
データ設定手段により設定された衛生洗浄データを記憶する衛生洗浄データ記憶手段と、
着脱状態検出手段により脱状態と検出されたときに、上記衛生洗浄データ記憶手段による衛生洗浄データの記憶の更新を禁止する更新禁止手段と、
を備えたことを特徴とする衛生洗浄装置。
【請求項１７】
請求項16の衛生洗浄装置において、更新禁止手段は、複数の衛生洗浄データのうち選択的に更新を禁止する選択部を有する衛生洗浄装置。
【発明の詳細な説明】
【技術分野】
本発明は、便器に対して着脱可能な衛生洗浄装置に関する。
【背景技術】
従来より、この種の衛生洗浄装置は、便器本体の後部上部に固定されたベースプレート上に載置されて、人体局部に向けて洗浄水を噴出するものである。この衛生洗浄装置では、ベースプレートとの間やその周辺の狭い部分に、汚水や尿が侵入したときに、清掃がし難いためにこの部分に汚れが付着し易い。このような問題を解決するために、衛生洗浄装置を便器本体から着脱可能にして、付着した汚れの除去を容易にした構成が提案されている。
ところで、衛生洗浄装置は、洗浄水を噴出するため等に電気的または機械的に複雑な機構を搭載しており、便器本体から外す際に、上記機構に故障を招かないことが要請されている。
【発明の開示】
本発明は、上記従来の技術の問題を解決するものであり、便器本体に対して着脱する際に故障の要因を排除した衛生洗浄装置を提供することを目的とする。
本発明は、便器本体に着脱可能なケース本体と、このケース本体に搭載されて人体局部の洗浄または乾燥等の衛生洗浄処理を行なう衛生洗浄機能部を備えた衛生洗浄装置において、
操作指令を出力する操作手段と、
この操作手段から出力される操作指令に基づいて、上記衛生洗浄機能部に対して上記衛生洗浄処理を指令する衛生洗浄指令手段と、
上記衛生洗浄装置と便器本体との着脱状態を検出する着脱状態検出手段と、
この着脱状態検出手段により衛生洗浄装置が脱状態であると検出されたときに、衛生洗浄機能部の上記衛生洗浄処理を禁止する禁止手段と、
を備えたことを特徴とする。
本発明に係る衛生洗浄機能部は、人体局部の洗浄や乾燥等を行なうものであり、操作手段からの操作指令を受けた衛生洗浄指令手段により制御される。衛生洗浄機能部を搭載した衛生洗浄装置は、便器本体から着脱可能であり、便器本体から外すことにより、清掃等を容易に行なえる。また、衛生洗浄装置を便器本体から外したときに、着脱状態検出手段がその旨を禁止手段に出力する。この旨を受けた禁止手段は、衛生洗浄指令手段に対して、衛生洗浄機能部が衛生洗浄処理を指令することを禁止する。したがって、衛生洗浄装置を便器本体から外した際に、操作手段を押したりしても、衛生洗浄機能部の作動が禁止される。
上記着脱状態検出手段は、便器本体と衛生洗浄装置とが完全に着状態となっていたり脱状態となっていることを検出する手段のほか、便器本体と衛生洗浄装置との着脱作業中である過渡状態を検出する手段であってもよい。
着脱状態検出手段の好適な態様として、着脱判定部が着脱信号出力部より着脱信号を受けたときに直ちに、脱状態または着状態と判定しないで、着脱信号が継続してあったときに、脱状態または着状態と判定するように構成する。そして、この判定に基づいて、衛生洗浄機能部への指令の禁止または禁止の解除指令が実行される。したがって、衛生洗浄装置の着脱に手間取って、着脱状態検出手段からの信号が不安定な状態になっても、衛生洗浄機能部による衛生洗浄処理の禁止指令及び禁止解除指令の頻繁な繰り返し指令を行なわない。
衛生洗浄機能部の一態様として、衛生洗浄指令手段からの衛生洗浄処理の指令により待機状態から洗浄状態へ移行する待機移行付機能部として構成することができる。この構成において、禁止手段は、着脱状態検出手段から脱状態であるとの旨を受けると、衛生洗浄指令手段に対し、待機移行付機能部を上記待機状態に移行させるように指令し、その後、衛生洗浄処理を禁止する。したがって、衛生洗浄装置が便器本体から外れたときには、直ちに、待機移行付機能部が待機状態に移行するから、その故障の原因にならない。
待機移行付機能部の一例として、洗浄用ノズルに適用することができる。すなわち、洗浄用ノズルは、待機状態に収納された後に、衛生洗浄機能部の衛生洗浄処理が禁止される。よって、衛生洗浄装置を外して清掃している際に、洗浄用ノズルが床に当接して洗浄用ノズルに荷重が加わったりすることがなく、故障の原因とならない。
また、待機移行付機能部の他の例として、ヒータの熱をファンで送る暖房手段に適用した場合に、着脱状態検出手段により脱状態が検出されたときにヒータへの通電を遮断し、その後、遅延手段によりファンを遅延して停止するように構成することにより、通電中にヒータで加熱された部分がファンで冷却され、ヒータの周辺部に、余熱による故障を招かない。
禁止手段は、すべての衛生洗浄機能部の衛生洗浄処理を禁止する構成とするほか、一部のものだけを禁止するように構成してもよく、例えば、衛生洗浄装置が脱状態となったときに、操作手段の操作により、洗浄用ノズルを待機状態に移行させる機能を禁止しないように構成してもよい。
衛生洗浄機能部の他の態様は、吐水通路を通る洗浄水の温度が所定温度以上であったときに、異常とみなして高温吐水を禁止する高温止水機能を備えた高温止水部として構成することができる。この場合に、禁止手段は、着脱状態検出手段により脱状態と検出されたときに、高温止水部の高温止水機能をロックする高温止水ロック手段として構成することができる。すなわち、脱状態時には、吐水通路を通る洗浄水の温度が所定温度異常であっても異常とみなさないようにする。したがって、衛生洗浄装置を便器本体から外した際に、洗浄水タンクが傾いて洗浄水の高温の部分が吐出通路に流れても、高温止水機能を作動させないから、衛生洗浄装置を便器本体に付けた際に、高温止水部により吐水の禁止指令を継続することがなく、直ちに衛生洗浄処理を使用することができる。
衛生洗浄機能部の他の態様として、
加熱した洗浄水を貯留する洗浄水タンクと、
洗浄水タンクに接続された吐出通路と、
吐出通路を介して洗浄水タンクの洗浄水を噴出する洗浄用ノズルと、
上記吐出通路に連通しかつ吐出通路を大気に開放する大気導入通路と、
大気導入通路を大気に開放する開弁位置と、洗浄水タンクから洗浄水の流出時に大気導入通路を閉じる閉弁位置との弁動作により、洗浄用ノズルから洗浄水タンクへの逆流を防止するバキュームブレーカと、を備え、
上記禁止手段は、上記大気導入通路を開閉する開閉弁と、着脱状態検出手段により脱状態であると検出されたときに、開閉弁を強制的に閉弁する開閉弁制御手段と、を備えることにより構成することができる。
この構成において、洗浄水タンクに貯留された洗浄水は、吐出通路を介して洗浄用ノズルから人体局部に向けて噴出される。また、吐出通路には、大気導入通路を介してバキュームブレーカが接続されている。バキュームブレーカは、洗浄水の吐出時に給水圧を受けて閉じているが、給水圧がないときに吐出通路を大気開放して洗浄用ノズルから洗浄水タンクへの逆流を防止している。
バキュームブレーカは、給水圧がないときに大気開放されているから、衛生洗浄装置を便器本体から外して衛生洗浄装置を傾けた場合に、洗浄水タンク内の洗浄水が吐出通路から大気導入通路を通じて外部へ漏出するのを防止する必要がある。これを防止する手段として、開閉弁及び開閉弁制御手段により構成している。すなわち、開閉弁制御手段は、着脱状態検出手段により脱状態と検出されたときに、開閉弁を強制的に閉弁し、外部に温水が漏出するのを防止している。
さらに、発明の他の形態として、解除手段を設けてもよい。解除手段は、衛生洗浄装置を便器本体に装着すれば、禁止手段の禁止指令を解除するから、解除のために操作手段による操作が不要である。解除手段の好適な一態様としては、着脱状態検出手段により脱状態から着状態へ移行していると検出されたときに、流量調節弁を所望の流量に吐出する状態に戻す構成を採ることができる。これにより、次回の衛生洗浄処理の準備をするから、衛生洗浄装置を便器本体に着けたときに衛生洗浄処理を直ちに実行させることができる。
さらに、解除手段の一態様として、衛生洗浄機能部の禁止指令を２段階で解除する構成とすることができる。このような解除手段は、立ち上がり時間の大きな衛生洗浄機能部に好適である。すなわち、解除手段は、立ち上がり時間の大きな衛生洗浄機能部を１段階目で優先して復帰させることにより、衛生洗浄装置を着状態にしたときに直ちに使用可能な状態とし、一方、２段階目で復帰される衛生洗浄機能部の故障の要因を減らす。例えば、温水調節機能部にて洗浄水を加熱するには、ある程度の時間が必要であるから、この温水調節機能部の禁止指令を優先的に解除することにより、衛生洗浄装置を便器本体に装着したときに直ちに適温の洗浄水を吐水させることができる。
また、発明の他の態様は、
便器本体に着脱可能なケース本体と、このケース本体に搭載されて、待機状態から洗浄状態へ移行することで人体局部の洗浄または乾燥等の衛生洗浄処理を行なう衛生洗浄機能部と、を備えた衛生洗浄装置において、
操作指令を出力する操作手段と、
この操作手段から出力される操作指令に基づいて、上記衛生洗浄機能部に対して上記衛生洗浄処理を指令する衛生洗浄指令手段と、
上記衛生洗浄装置を便器本体から外す作業中である脱過渡状態または脱状態を検出する着脱状態検出手段と、
上記着脱状態検出手段により脱過渡状態または脱状態が検出された場合に、上記衛生洗浄機能部を上記待機状態に移行させる指令を上記衛生洗浄指令手段に出力する待機状態指令手段と、
を備えたことを特徴とする。
この構成により、着脱状態検出手段は、便器本体から衛生洗浄装置を外す作業を行なっている脱過渡状態または脱状態であることを検出したときに、その旨を待機状態指令手段に送る。その旨を受けた待機状態指令手段は、衛生洗浄指令手段に対して、衛生洗浄機能部を上記待機状態に移行させる指令を送る。したがって、便器本体から衛生洗浄装置を外す作業を行なっているとき、または既に外した状態にあるときに、衛生洗浄機能部が洗浄状態で停止しないから、故障の原因にならない。
また、別の態様の発明は、
便器本体に着脱可能なケース本体と、このケース本体に搭載されて人体局部の洗浄または乾燥等の衛生洗浄処理を行なう衛生洗浄機能部を備えた衛生洗浄装置において、
衛生洗浄装置と便器本体との着脱状態を検出する着脱状態検出手段と、
衛生洗浄機能部の洗浄水の温度、乾燥温度等の衛生洗浄データを設定するデータ設定手段と、
非通電時であってもデータを記憶する不揮発性記憶部と、着脱状態検出手段により脱状態と検出されたときにデータ設定手段に設定されている衛生洗浄データを不揮発性記憶部に記憶させる記憶指令部と、を有する衛生洗浄データ記憶手段と、
を備えたことを特徴とする。
この構成により、衛生洗浄データ記憶手段の記憶指令部は、着脱状態検出手段により脱状態と検出されたときに、データ設定手段に設定されている衛生洗浄データを不揮発性記憶部に記憶させる。不揮発性記憶部は、非通電時であっても衛生洗浄データを記憶するから、衛生洗浄装置の便器本体からの脱作業時に、誤って電源コンセントが外れて非通電となっても、使用者が設定した衛生洗浄データを失うことがなく、衛生洗浄データの再設定を不要にする。
他の態様の発明は、
便器本体に着脱可能なケース本体と、このケース本体に搭載されて人体局部の洗浄または乾燥等の衛生洗浄処理を行なう衛生洗浄機能部を備えた衛生洗浄装置において、
衛生洗浄装置と便器本体との着脱状態を検出する着脱状態検出手段と、
衛生洗浄機能部の洗浄水の温度、乾燥温度等の衛生洗浄データを設定するデータ設定手段と、
データ設定手段により設定された衛生洗浄データを記憶する衛生洗浄データ記憶手段と、
着脱状態検出手段により脱状態と検出されたときに、上記衛生洗浄データ記憶手段による衛生洗浄データの記憶の更新を禁止する更新禁止手段と、
を備えたことを特徴とする。
この構成により、更新禁止手段は、着脱状態検出手段により脱状態と検出されたときに、衛生洗浄データの更新を禁止するから、衛生洗浄装置の脱状態に、操作手段に誤って触れて衛生洗浄データを更新する旨の信号が出力されても、衛生洗浄データが更新されることがない。したがって、衛生洗浄装置を着状態へ復帰させたときに、衛生洗浄装置を外す前の衛生洗浄データの設定により衛生洗浄処理を行なうことができる。
なお、更新禁止手段は、複数の衛生洗浄データのうち選択的に更新を禁止する選択部を有する構成としてもよい。更新禁止手段の選択部は、複数の衛生洗浄データのうち選択的に更新を禁止することにより、衛生洗浄データの内容に適応したデータが確保される。例えば、衛生洗浄データが、お尻洗浄指令信号と温度設定信号である場合に、お尻洗浄指令信号が出力されていても、これを無効にするように更新するが、温度設定信号の更新を禁止するように構成する。これにより、お尻洗浄指令信号により脱状態にて洗浄水が噴出される状態に設定されていてもこれを解除し、一方、温度設定信号の更新を禁止することにより、脱状態の前と同じ洗浄水の温度で吐水させることができる。
【図面の簡単な説明】
図１は本発明の一実施例に係る衛生洗浄装置を搭載した洋式便器を示す斜視図、
図２は洋式便器の使用状態を説明する説明図、
図３は衛生洗浄装置20を一部破断して示す平面図、
図４は図３における４−４線拡大断面図、
図５は図３における５−５線拡大断面図、
図６は図３における６−６線断面図、
図７は衛生洗浄装置を示すブロック図、
図８は衛生洗浄装置20に内蔵される電子制御装置150を示すブロック図、
図９は着脱センサ180を示す概略断面図、
図10は衛生洗浄機能停止処理を示すフローチャート、
図11は他の実施例に係る着脱センサ250を示す概略断面図、
図12は衛生洗浄処理の着脱処理を示すフローチャート、
図13は衛生洗浄装置20の着脱判定処理を示すフローチャート、
図14は衛生洗浄機能の復帰処理を示すフローチャート、
図15は衛生洗浄装置に搭載された暖房装置を示す概略図、
図16は暖房処理を示すフローチャート、
図17は衛生洗浄装置の吐水経路を示す構成図、
図18は衛生洗浄装置に搭載された高温止水処理を示すフローチャート、
図19はバキュームブレーカ350を示す断面図、
図20はバキュームブレーカ350のシート部付近の拡大断面図、
図21はバキュームブレーカ350のシート部付近の斜視図、
図22はタクトスイッチを示す断面図、
図23はスイッチの設定処理を示すフローチャート、
図24は衛生洗浄データの更新処理を示すフローチャートである。
【発明の実施するための最良の形態】
図１は本発明にかかる実施例の衛生洗浄装置付の洋式便器の外観図、図２はその使用状態を説明する説明図である。
図１及び図２に示すように、衛生洗浄装置20は、洋式便器21に装着されるものであり、洗浄水を加熱したり温風を吹き出すための装置などを収納し、図示しない軸により便座28を回動自在に軸支して保持するケース本体22と、便座28に座った人の局部に洗浄水を噴出し局部洗浄を行なう洗浄用ノズル24と、操作を行なう操作パネル25を備えた操作部26と、を備えている。
そして、この衛生洗浄装置20が洋式便器21の後部に取り付けられると、便座28は洋式便器21に対して開閉する。なお、実施例では、便器の便蓋29も便座28と同様にケース本体22に開閉自在に取り付けられており、洋式便器21に対して開閉する。
次に、洋式便器21へのケース本体22の取付・取り外しの様子について、ケース本体22を一部破断して示す図３や、その４−４線拡大断面図である図４、５−５線拡大断面図である図５および６−６線断面図である図６を用いて、説明する。
図３に示すように、ケース本体22の内部には、洋式便器21に固定するための固定具31に入り込む固定具挿入部32が、固定具31のピッチに合わせて２箇所設けられている。この固定具31は、図４に示すように、ナット31aを介して洋式便器21に固定されるものであり、ボルト部33の頂上部に、板状の便器接地片34、同じく板状のガイド片35および同じく板状の係合片36を有する。便器接地片34とガイド片35は、同一方向（図４における右側）にボルト部33の頂上部から延出し、係合片36は、これと反対の方向に延出して形成されている。そして、この固定具31は、便器接地片34およびガイド片35が洋式便器21の後方に向き、係合片36が洋式便器21の前方を向き、かつ便器接地片34が洋式便器21の上面に接地するまで締め付けられ、洋式便器21に固定される。
係合片36は、洋式便器21の上面から所定間隔を隔ててこの上面と略平行に前方に突出しており、その中央下面には、下向きに突出した係合突起37を有する。そして、この係合片36は、この所定間隔が変化するように、ボルト部33の頂上部を支点として湾曲（弾性変形）する。また、ガイド片35は、図５に示すように、便器接地片34より僅かに幅広に形成されている。
この固定具31が入り込むケース本体22の固定具挿入部32は、図４および図５に示すように、ケース本体22の底面板22aと、後部側面板22bからケース本体22内部に向けて突出した内部天井板22cと、その両側の側壁面板22dとで形成される。
そして、ケース本体22の後部側面板22b側において、即ち固定具挿入部32の後部において、この内部天井板22cとその両側の側壁面板22dで囲まれた部分が、固定具31が入り込む開口38となる。このため、ケース本体22が洋式便器21の上面前方に載置され、この固定具31に向けて後方に摺動されると、固定具31は、まずケース本体22の固定具挿入部32後部の開口38に、係合片36の先端から入り込む。
固定具31が入り込む開口38の両側壁面板22dには、図５に示すように、便器接地片34がガタなく入り込める接地片挿入溝39と、ガイド片35がガタなく入り込めるガイド片挿入溝40が、それぞれ対向して設けられている。よって、ケース本体22が更に固定具31に向けて後方に摺動されると、固定具31の便器接地片34、ガイド片35は、接地挿入溝39、ガイド片挿入溝40に入り込む。このように各片がその溝に入り込むことで、ケース本体22は、洋式便器21に対して横ズレを起こさず、ケース本体22の後部は、不用意に洋式便器21の上面から浮き上がらない。
固定具挿入部32は、開口38の奥側に、固定具31における係合片36の係合突起37に係合するよう、底面板22aの端部から上方に突出した凸状突起41を有する。この凸状突起41の前端面（図４における右側端面）は、固定具挿入部32に固定具31が入り込んだときにガイド片35の先端が当接するストッパ面として機能する。よって、ケース本体22が更に固定具31に向けて後方に摺動されると、固定具31の係合片36は、係合突起37が凸状突起41角部のテーパ面に当たりこの係合突起37が当該テーパ面に沿って持ち上げられることにより、ボルト部33の頂上部を支点として上方に湾曲する。その後、係合突起37が凸状突起41を乗り越えると、係合片36は弾発して復帰し、係合突起37と凸状突起41とが係合するとともに、ガイド片35の先端が凸状突起41の前端面に当接するので、ケース本体22は、固定具31を介して洋式便器21に固定されることになる。この状態で、固定具挿入部32への固定具31の入り込みが完了する。
この他、ケース本体22には、図３、図４および図６に示すように、上記した係合突起37と凸状突起41との係合を解除するための係合解除バー42が、横方向に配置されている。この係合解除バー42の一端はケース本体22の側方に突出されており、当該一端にはこの係合解除バー42を回動するためのハンドル43が固定されている。係合解除バー42は、ケース本体22の内部において４個の軸支ブロック44a〜44d（図６参照）に軸支されており、その軸心を中心に回転自在である。この係合解除バー42の設置位置は、固定具挿入部32に固定具31が完全に入り込んだときに、係合片36の先端がこの係合解除バー42と干渉する位置であり、当該干渉箇所には、その干渉を避けるための切欠45が形成されている。
４個の軸支ブロック44a〜44dのいずれかには、係合解除バー42の切欠45が上を向いているときに係合解除バー42を解除位置に一時的に保持するための、いわゆる当たり機構（図示せず）が設けられている。なお、この当たり機構は、軸支ブロックにスプリングと鋼球とを鋼球が僅かにブロックの貫通孔に出るように組み込み、係合解除バー42の外周にこの鋼球が入り込む孔を形成して構成される。
つまり、係合解除バー42は、この当たり機構により通常は切欠45を上に向けて止まっていることになる。このため、固定具31は支障なく固定具挿入部32に完全に入り込むことができる。そして、ケース本体22は、上記した係合突起37と凸状突起41との係合を経て、固定具31を介して洋式便器21に固定される。
次に、このように洋式便器21に固定されたケース本体22を洋式便器21から取り外す手順について説明する。まず、ハンドル43を片手で操作して係合解除バー42を回転させる。このように係合解除バー42が回転すると、切欠45によりそれまでは係合片36と干渉していなかった係合解除バー42は、回転につれて係合片36をボルト部33の頂上部を支点として上方に湾曲させる。このように係合片36が湾曲すると、係合突起37が持ち上げられるので、係合突起37と凸状突起41との係合は解除される。よって、それ以後は、上記したケース本体22の取り付けと逆の動作で、ケース本体22を便座28ごと洋式便器21から取り外すことができる。つまり、ケース本体22を洋式便器21の上面前方に摺動させれば、固定具31からケース本体22引き離すことができる。その後は、両手でケース本体22を便座28ごと持ち上げれば、便座28はケース本体22とともに洋式便器21から取り外される。
なお、上記した例では、係合解除バー42を回転させるものであるが、切欠45の上面をハンドル43側が持ち上がった斜面となるよう形成し、ハンドル43を図３における左方向に押すことで、上記した場合と同様に係合突起37と凸状突起41との係合を解除することができる。
以上説明したように本実施例の便座取付機構では、便座28を洋式便器21から取り外すに当たり、係合突起37と凸状突起41との係合を解除するためのハンドル操作と洋式便器21の前方へのケース本体22の摺動という一連の動作を行なうことにより、容易に便座28をケース本体22とともに洋式便器21から取り外すことができる。
次に、衛生洗浄装置20の給水系統を図７のブロック図にて説明する。図７に示すように、外部水源は、洗浄水タンクに配管接続されると共に途中の分岐金具120から、連結管121を介して、衛生洗浄装置20にも配管接続され、これに給水している。
衛生洗浄装置20は、上流側から、給水アダプタ122、減圧弁123、電磁弁124、安全弁125からなるバルブユニット126と、供給された水を温水用サーミスタ128aにより温度検出しつつ洗浄水用ヒータ129で適温まで加熱する熱交換器130及び熱交換器内の水の有無を検出するフロートスイッチ131とからなる熱交換器ユニット132と、逆止弁133、流調モータ134により駆動される流量調節弁135を備えた流調ユニット136と、第１開閉弁137a及び第２開閉弁137bを有する開閉弁ユニット137とを備え、その先端には、ノズル装置140が接続されている。ノズル装置140は、上記洗浄用ノズル24を軸方向に駆動するための駆動装置141等から構成されている。
図８は衛生洗浄装置20の電子制御装置15の内部構成とその周辺装置を示すブロック図である。電子制御装置150は、予め設定された制御プログラムに従って洗浄水の温度等を制御するための各種演算橇を実行するCPU152と、CPU152で各種演算処理を実行するのに必要な制御プログラムや制御データ等が予め格納されたROM154と、同じくCPU152で各種演算処理を実行するのに必要な各種データが一時的に読み書きされるRAM156と、非通電状態でもデータを記憶しているバックアップRAM157と、衛生洗浄装置20に付属する各種のセンサやスイッチからの信号を入力してCPU152の処理可能な信号に変換する入力処理回路158と、CPU152での演算結果に応じて電磁弁124などを駆動する出力処理回路159等を備えている。なお、上記バックアップRAM157は、内蔵電池によりバックアップされるもの、フラッシュメモリなど電気的に書込・読み出し可能なデバイスであり、電源遮断時にもそのデータが消去されない各種の装置を適用できる。
便座28には、該便座28への着座を検出する着座センサ170が設けられている。着座センサ170としては、例えば、便座28の表面の便座用ヒータ153について静電容量の変化を測定して着座の有無を検出するセンサや、圧力センサを用いることができる。
また、衛生洗浄装置20を洋式便器21から外したことを検出する着脱センサ180が操作部26付近に設けられている。図９に示すように、着脱センサ180は、衛生洗浄装置20の回路基板Ｐに固定されている。着脱センサ180は、回路基板Ｐ上に固定されたポット182と、ポット182に収納された水銀183と、ポット182の上部開口を封止する蓋体184と、蓋体184の中央を貫通しかつ固定されたリード端子185と、回路基板Ｐに立設されかつポット182に接続された端子186aと、回路基板Ｐに立設されてかつリード端子185に接続された端子186bと、を備えている。
この構成により、衛生洗浄装置20を洋式便器21から外すと、水銀183がポット182内を移動し、端子186aと端子186bとの間のオープンとなり、その旨の信号が出力される。この信号に基づいて電子制御装置150が着脱の有無を判定する。
図８に示すように、電子制御装置150には、操作部26の操作パネル25の操作ボタン210からの信号が入力される。操作ボタン210は、各種の機能に対応した種々のボタンを含んでいる。すなわち、お尻洗浄ボタン210a、ビデ洗浄ボタン210b、停止ボタン210c、温風を吹き出すための乾燥ボタン210d、マッサージ洗浄を設定するマッサージ設定ボタン210e、ムーブ洗浄を行なわせるムーブ設定ボタン210f、吐水温度の調節用の吐水温度設定ボタン210g、水量調節用の水量調節ボタン210h、洗浄用ノズル24を前後方向へ移動するノズル位置調節ボタン210i、衛生洗浄装置20を脱状態から着状態へ移行したときに装着完了を知らせる確定ボタン210k、便座用ヒータ153を所定時間オフに設定するためのタイマ予約ボタン210mが設けられている。
各ユニット等の大まかな動作を説明する。図１に示す便座28に使用者が座ると、着座センサ170からその旨の信号が出力され、その後、操作パネル25を操作して、例えばお尻洗浄ボタン210aを押すと、駆動装置141（図７）を駆動して洗浄用ノズル24を一体的に洗浄位置まで前進し、バルブユニット126の第１開閉弁137aを開いて、洗浄水の噴出を開始する。そして、洗浄終了後、操作パネル25の停止ボタン210c（図８）を押して洗浄の終了を指示すると、第１開閉弁137aを閉じて洗浄水の噴出を終了し、その後、駆動装置141を逆転して洗浄用ノズル24を収納位置に退避する。
なお、ビデ洗浄ボタン210b（図８）を押すと、ビデ洗浄位置まで洗浄用ノズル24（図１）が進出して第２開閉弁137bを開いて洗浄水の噴出を開始し、停止ボタン210cを押すことにより洗浄を終了する。なお、便座28には、便座用ヒータ153が設けられ、便座面を適温に保持している。
次に、衛生洗浄装置20を洋式便器21から外したときの衛生洗浄機能の停止処理について、図10を用いて説明する。図10は電源投入時から電子制御装置150により繰り返し実行されるルーチンである。
図10において、最初のステップS80にて、着脱センサ180から脱状態を示すオフ信号が出力されたか否かの判定が実行される。この判定処理にて、否定判定されたときには本処理を終了し、一方、オフ信号が出力されたと判定された場合には、ステップS82へ進む。ステップS82にて、第１開閉弁137a及び第２開閉弁137bをオフ駆動し、さらに、ステップS84にて、洗浄水用ヒータ129をオフにする。その後、ステップS86にて、駆動装置141を駆動して、洗浄用ノズル24を待機位置へ移動し、その洗浄用ノズル24が待機位置への移動を完了したときに、駆動装置141もオフにする。なお、衛生洗浄装置20の電子制御装置150の機能を復帰させるには、確定ボタン210k（図８）を押すことにより行なうことができる。
上記処理によれば、衛生洗浄装置20を洋式便器21から外したときに、洗浄用ノズル24が吐水中であっても、第１開閉弁137aが閉じられて止水されると共に、洗浄用ヒータ129への通電も停止される。これにより、着脱作業中または脱状態のときに洗浄用ノズル24から不用意な吐水がされることがなく、また、洗浄水用ヒータ129へも通電中となることがない。また、洗浄用ノズル24も待機位置に移動するから、衛生洗浄装置20を外して清掃等をしているときに、洗浄用ノズル24に触ることがなく、その故障の原因とならない。
なお、衛生洗浄機能部に対する衛生洗浄処理を禁止する手段として、各種操作ボタンから信号を出力不能としたり、または各種操作ボタンをロックして、操作自体を不能としてもよい。この場合には、衛生洗浄装置20を洋式便器21から外す作業中等に、操作部26の操作ボタンを誤って押しても、洗浄水が吐出する等の不意な動作が起きない。
図11ないし図13は他の実施例を示し、図11は着脱センサ250の付近を示す概略図、図12は衛生洗浄装置20の洗浄機能停止処理を示すフローチャート、図13は着脱判定処理を示すフローチャートである。
まず、図11の着脱センサ250について説明する。着脱センサ250は、ケース本体20Bの内側に取り付けられたマイクロスイッチであり、スイッチ本体251と、スイッチ本体251の一端にヒンジ支持された可動片252と、可動片252により押圧されるスイッチノブ253とを備えている。この着脱センサ250は、ケース本体20Bのガイド凹所20Baの内側壁に装着されており、ガイド凹所20Baに可動片252の一端を突出している。この構成により、ガイド凹所20Baを、便器（図示省略）に固定されたベースプレート22Bのガイド部22Baでガイドさせて、ケース本体20Bをベースプレート22Bに装着すると、着脱センサ250は、オンとなって着信号が出力され、一方、ケース本体20Bを外すと、オフとなって脱信号が出力される。
次に、この着脱センサ250を用いた図12及び図13の処理について説明する。図12の処理は衛生洗浄装置20を洋式便器21に対して着脱したときに機能停止及び復帰を実行するものである。図12において、ステップS110にて、着脱フラグFsの判定を実行する。この着脱フラグFsは、図13の処理にてセットされるフラグであり、衛生洗浄装置20が外れたとき１にセットされ、一方、装着されたときに０にセットされるフラグである。この着脱フラグFsの判定により、１と判定されたときには、ステップS112にて、図10のステップS82〜ステップS86と同様に機能停止処理が実行され、一方、ステップS110にて、着脱フラグFsが０と判定されたときには、ステップS114にて衛生洗浄機能を復帰する処理が実行される。この復帰処理は、例えば、便座用ヒータ153への通電や脱臭装置（図示省略）などのオゾナイザー等の通電を開始する処理である。
次に、図12のステップS110で使用した着脱フラグFsを設定する処理について図13を用いて説明する。図13において、ステップS150にて、着脱センサ250からオフ信号、つまり、衛生洗浄装置20が外されたときの信号が出力されたか否かの判定が実行される。このステップS150にて、オフ信号が出力されたと判定された場合には、ステップS151へ進み、カウンタCbをリセットする。このカウンタCbは、オフ信号を出力しない状態が継続している時間を計測するカウンタである。
続くステップS152では、カウンタCaをインクリメントする。このカウンタCaは、オフ信号の状態が継続している時間を計測するカウンタである。続くステップS154にて、カウンタCaが所定時間Ca0（例えば１秒）を越えたか否かが判定される。このステップS154で否定判定された場合には、本処理を一旦終了する。そして、繰り返し処理にて、ステップS154にて、カウンタCaが所定時間Ca0を越えたと判定された場合には、ステップS156にて着脱フラグFsを１にセットする。これにより、衛生洗浄装置20が洋式便器21から外されたと判定される。
一方、ステップS150にて、着脱センサ250からオフ信号が出力されないときには、ステップS159にて上記カウンタCaをリセットし、続くステップS160にてカウンタCbをインクリメントする。次のステップS162では、カウンタCbが所定時間Cb0を越えているか否かの判定が実行され、所定時間Cb0を越えていると判定された場合には、ステップS164にて着脱フラグFsを０にセットする。これにより、衛生洗浄装置20が洋式便器21に取り付けられたと判定される。
したがって、図13の着脱判定処理によれば、着脱センサ250からオフ信号が出力されたときに、直ちに脱状態であると判定しないで、オフ信号が所定時間Ca0だけ継続したときに、脱状態と判定する。したがって、衛生洗浄装置20を外す作業中に、着脱センサ180からオンオフを頻繁に繰り返す出力があっても、衛生洗浄装置20の各機能の禁止または復帰処理を繰り返すハンチングを起こさない。
また、この処理では、衛生洗浄装置20を洋式便器21に装着した際に、衛生洗浄機能を復帰させるための操作が不要であるから、操作性に優れている。
なお、衛生洗浄装置20を外した状態から洋式便器21に装着したときに、すべての衛生洗浄機能を同時に復帰させる構成のほか、２段階以上で復帰させてもよい。すなわち、図14は衛生洗浄装置20を装着したときの洗浄水用ヒータ129を優先的に通電する復帰処理を示すフローチャートである。図14において、まず、ステップS180にて。着過渡状態フラグＦTEの判定が実行される。この着過渡状態フラグＦTEは、衛生洗浄装置20の着脱が過渡的であると判定されたときにセットされるフラグであり、すなわち、ステップS182にて着脱センサ250から着信号があったときにステップS184にて１セットされるフラグである。ここで、ステップS180、ステップS182、ステップS184を経た場合には、ステップS186にて、着信号があってから所定時間経過したか否かが判定される。このステップS186にて、所定時間経過していないと判定されたときには、ステップS188にて洗浄水用ヒータ129がオンされ、本処理を一旦終了する。繰り返し処理にて、ステップS180の判定を経た後、ステップS186にて所定時間経過したと判定されたときには、ステップS190にて着脱センサ250の信号が着信号であるか否かが判定される。すなわち、着脱センサ250から最初に着信号があった後、所定時間経過後に着信号が維持されていると判定されたときには、ステップS192にて着過渡状態フラグＦTEが０にリセットされ（ステップS192）、着状態を示す着脱フラグFsが０にセットされる（ステップS194）。この着脱フラグFsの０のセットにより、他のルーチンで他の衛生洗浄機能が復帰処理される。一方、ステップSS190にて、所定時間経過後に着信号がない場合には、着過渡状態フラグＦTEをリセットすると共に（ステップS196）、洗浄水用ヒータ129をオフにする（ステップS198）。
したがって、着脱センサ250は、着脱作業中には、着信号及び脱信号を繰り返した不安定な信号を出力することがあるが、最初に着信号が出力された過渡状態のときに、洗浄水用ヒータ129への通電を開始することにより、加熱に長時間を要する洗浄水用ヒータ129を優先的に通電させて、衛生洗浄装置20の装着後、直ちに温水吐水を実行させることができる。そして、他の衛生洗浄機能は、衛生洗浄装置20が確実に着状態になった後に、復帰させることができる。
なお、この発明は上記実施例に限られるものではなく、その要旨を逸脱しない範囲において種々の態様において実施することが可能であり、例えば次のような変形も可能である。
（１）  上記実施例では、操作部26の操作にかかわらず、衛生洗浄機能のすべてを停止させるように構成したが、これに限らず、待機側へ移行する機能、例えば、洗浄用ノズル24を待避位置へ移動させる機能については、操作部26の操作を受け付けるように構成してもよい。この場合には、停止機能の故障などで洗浄用ノズル24が待避位置に移行しない場合のバックアップとして機能することになる。
（２）  上記実施例では、着脱センサとして、図９に示す水銀の傾斜によりオフする傾斜スイッチまたは、図11に示すリミットスイッチを用いたが、これに限らず、各種のセンサを用いることができる。たとえば、ホール素子を利用したもの、光電センサを利用したものなど、各種のセンサを適用することができる。
（３）  衛生洗浄機能を復帰させる場合の手段として、上述のように衛生洗浄装置を洋式便器に装着して確定ボタンを押したときに復帰させる手段のほか、特定のスイッチを押しながら衛生洗浄装置の装着作業をしたときに復帰させる手段、あるいは、衛生洗浄装置の装着作業中に第１のボタンを押したときに一部の衛生洗浄機能を復帰させ、衛生洗浄装置の装着作業を完了して第２のボタンを押したときに、すべての衛生洗浄機能を復帰させるように２段階で復帰させる手段をとってもよい。
次に、衛生洗浄装置の着脱時に停止する衛生洗浄機能として、各種のものについて説明する。まず、室内用の暖房装置について説明する。暖房装置は、適用した場合には、着脱の際に、温風の吹出口の付近に手が近づいても、温風が吹き付けられることがない。この構成において、暖房装置に以下の機能を装着すると、より好適に適用することができる。図15は衛生洗浄装置に搭載された暖房装置300及び周辺回路を示す概略構成図である。図15において、暖房装置300は、温風通路301内に設置された室内暖房用ヒータ302と、室内暖房用ヒータ302により加熱された温風を送り出すファン304と、電子制御装置305とを備えており、着座センサ306により使用者の着座を検出したときに、室内暖房用ヒータ302に通電すると共にファン304を駆動して使用者の足下に向けて温風を吹き出すと共に、着脱センサ308の検出信号に基づいて暖房の中断をする機能を有するものである。
図16は電子制御装置305により実行される暖房装置300を駆動する処理を示すフローチャートである。本処理は、室内暖房を設定しているときに実行されるルーチンであり、まず、ステップS202にて、着座センサ306による検出信号に基づいて着座状態であるか離座したかの判定がされ、この判定により着座状態であると判定されると、ステップS204にて室内暖房用ヒータ302への通電及びファン304の駆動が実行される。続くステップS206では、着脱センサ308による検出信号に基づいて着状態であるか脱状態であるか否かの判定が実行され、着状態である場合に本処理を一旦終了する。そして、ステップS202に戻り、離座したと判定されると、ステップS210へ進み、室内暖房用ヒータ302への通電が停止され、さらにステップS212にて所定時間経過した後に、ステップS214にてファン304が停止される。
一方、ステップS206にて、暖房中に着脱センサ308による検出信号に基づいて脱状態であると判定された場合には、ステップS210へ進み、室内暖房用ヒータ302の通電が停止され、さらに所定時間後にファン304が停止される。このようにファン304は、室内暖房用ヒータ302への通電遮断後、所定時間経過したときに停止されることにより、室内暖房用ヒータ302へ通電が停止された後もその周辺部分がファン304で冷却され、余熱による故障を招かない。
次に、他の実施例にかかる衛生洗浄装置に搭載された高温止水装置を説明する。図17は高温止水装置及びその周辺の構成を示す概略構成図である。衛生洗浄装置は、給水源に接続された洗浄水タンク322と、洗浄水タンク322で加熱した洗浄水を吐出通路324を介して供給されると共に該洗浄水を噴出する洗浄用ノズル326と、上記吐出通路324に設けられ吐出通路324を通る洗浄水の温度を検出する高温用サーミスタ328と、洗浄用ノズル326への洗浄水を吐水又は止水する電磁弁329と、電子制御装置330とを備えている。電子制御装置330は、高温用サーミスタ328からの検出信号に基づいて所定温度以上の洗浄水を検出したときに洗浄水の吐水を禁止する高温止水機能を有し、さらに着脱センサ332からの検出信号に基づいて高温止水機能をロックする処理を実行する。
次に、電子制御装置330により、高温用サーミスタ328が所定温度以上を検出したときの異常判定処理について、図18のフローチャートを用いて説明する。まず、ステップS222にて、高温用サーミスタ328の検出温度TMsが読み込まれる。続くステップS224にて、高温用サーミスタ328の検出温度TMsが所定温度TMsc（45℃）以上か否かについて判定され、所定温度TMsc以下の場合には、本処理を終了する。
一方、ステップS224にて、高温用サーミスタ328の検出温度TMsが所定温度TMsc以上の場合には、ステップS226にて、着脱センサ332からの検出信号に基づいて着脱状態が判定される。この判定により脱状態でないと判定されると、ステップS228にて電磁弁329を閉じる。これにより、洗浄用ノズル326から所定温度以上の高温吐水が禁止される。続くステップS230では、電子制御装置330のRAMに一次的に記憶されている他の各種状態の検出データまたは制御データを読み込む。検出データまたは制御データとしては、操作ボタンの設定状態、着座状態を示す信号等のデータである。
続くステップS232では、高温用サーミスタ328の検出温度TMsが所定温度以上であった旨を電子制御装置330のバックアップRAMに記憶すると共に、ステップS230で読み込んだ各種状態の検出データ及び制御データもバックアップRAMに記憶する。次のステップS234では、所定以上の高温を検出した旨を表示ランプに表示し、その旨を報知する。なお、この検出データは、通電復帰後も継続して記憶されるため、このデータに基づいて継続して吐水禁止状態にする。なお、本処理により、高温用サーミスタ328が所定温度以上を検出したときに、この旨をバックアップRAMに記憶し、さらにそのときの検出データ及び制御データを記憶することから、修理の際における故障発見が容易となる。
一方、ステップS226にて、着脱センサ332の検出信号に基づいて脱状態と判定された場合には、ステップS228〜ステップS234までの処理をスキップして、本処理を終了する。したがって、衛生洗浄装置を洋式便器から外した際に、洗浄水タンク322が傾いて洗浄水の高温の部分が吐出通路324に流れても、高温止水機能を作動させないから、衛生洗浄装置を洋式便器に付けた際に、高温止水機能により吐水の禁止指令を継続することがなく、直ちに本来の洗浄機能を復帰させることができる。
次に、衛生洗浄装置の洗浄水タンク322にバキュームブレーカを接続した実施例について説明する。図17において、吐出通路324の途中には、バキュームブレーカ350が洗浄水タンク322の水位より高い位置に設けられている。バキュームブレーカ350は、図19に示すように、ケース本体351内に一次側流路352、二次側流路353及び外気導入通路354を備えている。ケース本体351の一次側流路352の開口部には、シート部355が形成されており、このシート部355は、弁体356の着座部357が着座するように設けられている。また、シート部355には、図20及び図21に示すように、周方向へ90゜の間隔で通気用の切欠き355aが４カ所形成されている。
こうしたバキュームブレーカ350の構成により、洗浄水タンク322の高温水が一次側流路352を通じて弁体356に加わり、該弁体356を押し上げる方向への力が大きくなると、弁体356の自重に抗して開弁し、一次側流路352から二次側流路353へ高温水が流れる。一方、一次側流路352の高温水の圧力が弁体356の自重より小さくなると、着座部357がシート部355に着座して閉弁する。このとき、シート部355には、切欠き355aが形成されているから、この切欠き355aを通じて一次側流路352に空気が導入される。これにより、一次側流路352を通じて洗浄水タンク322内にエアギャップが形成される。このエアギャップにより、バキュームブレーカ350は、洗浄用ノズル326を通じて洋式便器のボール内の水を洗浄水タンク322へ逆流させるのを防止する。
また、外気導入通路354には、開閉弁360が設けらている。この開閉弁360は、電磁弁から構成されており、電子制御装置330からの信号により開閉制御される。すなわち、電子制御装置330は、着脱センサ308からの検出信号に基づいて脱状態と判定したときには、開閉弁360を閉じる。したがって、衛生洗浄装置を便器本体から外した際に、これを傾けても洗浄水タンク322から漏水することがない。
次に、他の実施例として衛生洗浄装置の脱状態時に、操作部における操作ボタンの入力設定値が失われない処理について説明する。
本処理は、図22に示すいわゆるタクトスイッチ410を用いて好適に実施することができる。図22はタクトスイッチ410を用いたスイッチ機構411の周辺を示す断面図である。タクトスイッチ410は、プリント基板412上に固定されており、その上方に上記プリント基板412と平行にケース413が設置されている。タクトスイッチ410の上方のケース413の部分は、開口413となっており、この開口413aに、タクトスイッチ410を操作するためのキートップ部410aが設けられている。このキートップ部410aは、ケース413の上面に接着された表示シート414に固定されている。この表示シート414には、タクトスイッチ410の操作部を表すスイッチ操作部414aが表示されている。したがって、スイッチ操作部414aを押すと、キートップ部410aを介してタクトスイッチ410がスイッチング操作されることになる。また、タクトスイッチ410に近接した側方のプリント基板412は、タクトスイッチ410のスイッチング作用によりオンオフする表示ランプ415が固定されている。こうした構成のスイッチ機構411では、表示シート414がケース413に密着しているので、開口413aの周辺に隙間ができず、トレイ等の高い防水性を必要とする箇所に適している。
上述したタクトスイッチ410は、通常、一時的に切換設定されかつ電源遮断時にその内容が消去されるスイッチであるが、電子制御装置の処理により、衛生洗浄装置の着脱時に電源が遮断された場合にもその内容がバックアップされるように構成されている。すなわち、図23のフローチャートに示すように、電子制御装置は、タクトスイッチ410の切り換えによる割込処理により（ステップS240）、そのタクトスイッチ410の設定を読み込んでRAMに記憶し（ステップS242）、その設定内容に基づいて表示ランプ415を表示する（ステップS244）。そして、着脱センサからの検出信号により脱状態と判定されたときには（ステップS246）、タクトスイッチ410の設定状態がRAMから読み出されて、バックアップRAMに記憶される（ステップS248）。
したがって、着脱センサの検出信号に基づいて、脱状態と判定されたときに、タクトスイッチ410の設定内容がバックアップRAMに記憶され、バックアップRAMは、非通電時であっても衛生洗浄データを記憶するから、衛生洗浄装置の洋式便器からの脱作業時に、誤って電源コンセントが外れて非通電となっても、使用者が設定した衛生洗浄データを失うことがなく、衛生洗浄データの再設定を不要にする。
なお、衛生洗浄装置のタクトスイッチ410は、使用者の設定状態を維持しておきたい各種の箇所に用いることができ、例えば、便座用ヒータのオンオフのように２つの状態に設定する構成のほか、吐水温度設定ボタン等のように３つ以上の設定状態に切り換えるものにも適用できる。すなわち、吐水温設定ボタンは、ヒーター切→低温→中温→高温→ヒータ切と順次切り換えられるように用いるスイッチである。
また、上記実施例では、スイッチとしてタクトスイッチを用いたが、これに限らず、各種のスイッチに適用することができる。また、スイッチにより設定されるデータは、吐水温度のほか、衛生洗浄装置の制御条件を設定するものであれば、各種のものに適用することができ、例えば、吐水ノズルの水勢、ノズル位置、マッサージ洗浄、ムーブ洗浄、脱臭入／切、運転入／切の設定等に適用することができる。
次に、衛生洗浄装置の着脱に伴って衛生洗浄データの更新を選択的に無効または禁止する処理について図24のフローチャートに基づいて説明する。図24において、ステップS260にて、操作部により設定されている衛生洗浄データが読み込まれ、続くステップS262にて、着脱センサからの検出信号に基づいて脱状態か否かが判定される。この判定処理にて脱状態でないと判定されると、ステップS264にて、バックアップRAMに記憶されている衛生洗浄データがステップS260で設定された値に更新される。この衛生洗浄データは、他のルーチンにより洗浄水の吐水等の処理に用いられる。一方、ステップS262にて、脱状態であると判定されると、ステップS266にて、ステップS260にて読み込まれた衛生洗浄データが停止ボタンのオン信号であるか否かが判定され、停止ボタンのオン信号であると判定されるとステップS264へ進み、その停止ボタンが押された旨が更新される。これにより、停止ボタンのオン信号にしたがって洗浄水の停止、及び洗浄用ノズル等が待機位置へ移動する処理が実行される。一方、ステップS266にて衛生洗浄データが停止ボタンのオン信号でないと判定されると、衛生洗浄データの更新を行なうことなく、本処理を終了する。
図24に示す処理により、着脱センサにより脱状態と検出されたときに、衛生洗浄データのうち吐水を開始する側の操作を無効にし、安全側への処理を実行するから、衛生洗浄装置の脱状態に、操作部に誤って触れても、衛生洗浄データが更新されて洗浄水が吐水されることがない。
図24の処理では、操作部に設定された衛生洗浄データを選択的に更新したが、これに限らず、バックアップRAMに記憶されている衛生洗浄データを選択的に安全側に更新するように処理してもよい。例えば、お尻洗浄ボタンがオンとなっている旨がバックアップRAMに記憶されている場合に、着脱センサにより脱状態であると検出されたときに、お尻洗浄ボタンのオンをオフに更新してもよい。
【図１】
0003561916.tif 000002
【図５】
0003561916.tif 000003
【図２１】
0003561916.tif 000004
【図２】
0003561916.tif 000005
【図４】
0003561916.tif 000006
【図６】
0003561916.tif 000007
【図３】
0003561916.tif 000008
【図７】
0003561916.tif 000009
【図８】
0003561916.tif 000010
【図９】
0003561916.tif 000011
【図１１】
0003561916.tif 000012
【図１０】
0003561916.tif 000013
【図１５】
0003561916.tif 000014
【図１２】
0003561916.tif 000015
【図１７】
0003561916.tif 000016
【図１３】
0003561916.tif 000017
【図１４】
0003561916.tif 000018
【図１６】
0003561916.tif 000019
【図１８】
0003561916.tif 000020
【図１９】
0003561916.tif 000021
【図２０】
0003561916.tif 000022
【図２２】
0003561916.tif 000023
【図２３】
0003561916.tif 000024
【図２４】
0003561916.tif 000025